(57)【要約】【課題】ＦＥＤにおいて、各色の蛍光体の発光輝度が異なることに起因する色温度低下を抑制し、良好なホワイトバランスを得る。【解決手段】本発明に係る映像表示装置は、複数の電子放出素子(106〜108)を含むカソード基板(102)と、該カソード基板と対抗して配置され、前記電子放出素子からの電子により励起されて発光する青、緑、赤の３色の蛍光体(123、104、125)を含むアノード基板(101)とを備える。そして、赤色蛍光体(123)または青色蛍光体(125)の面積を、緑色蛍光体(104)の面積よりも小さくする。【選択図】  図２
2006073386.tif 000002
【特許請求の範囲】
【請求項１】
映像表示装置において、
複数の電子放出素子を含む第１基板と、
該第１基板と対抗して配置され、前記電子放出素子からの電子により励起されて発光する青、緑、赤の３色の蛍光体を含む第２基板とを備え、
前記青または赤の蛍光体の面積が、前記緑の蛍光体の面積よりも小さいことを特徴とする映像表示装置。
【請求項２】
映像表示装置において、
入力された映像信号に基づいて駆動信号を生成するデータドライブ回路と、
選択信号を生成するスキャンドライブ回路と、
前記データドライブ回路からの駆動信号が印加される複数のデータ線と、前記スキャンドライブ回路からの選択信号が印加され、前記データ線と直交するように配列された複数の走査電極線と、該データ線と該走査電極線との交点部に設けられ、前記駆動信号と前記選択信号との電位差に応じて電子を放出する複数の電子放出素子とを含む第１基板と、
前記電子放出素子からの電子により励起されて発光する青、緑、赤の３色の蛍光体が配置され、該蛍光体からの光を透過して該蛍光体の配置面とは反対の面に映像を形成する第２基板とを備え、
前記青または赤の蛍光体の面積が、前記緑の蛍光体の面積に比べて小さいことを特徴とする映像表示装置。
【請求項３】
前記赤、青及び緑の蛍光体は長方形状であり、該赤及び青の蛍光体の長辺寸法が、該緑の蛍光体の長辺寸法よりも短いことを特徴とする請求項２に記載の映像表示装置。
【請求項４】
前記赤または青の各蛍光体が形成される領域のほぼ中央に、該蛍光体からの光の一部を遮蔽する遮蔽部を設けたことを特徴とする請求項２に記載の映像表示装置。
【請求項５】
前記赤または青の各蛍光体は、前記遮蔽部により分割されることを特徴とする請求項４に記載の映像表示装置。
【請求項６】
前記赤の蛍光体面積は、前記緑の蛍光体面積の０．８５〜０．９倍であることを特徴とする請求項２に記載の映像表示装置。
【請求項７】
前記青の蛍光体面積は、前記緑の蛍光体面積の０．９〜０．９５倍であることを特徴とする請求項２に記載の映像表示装置。
【請求項８】
映像表示装置において、
入力された映像信号に基づいて駆動信号を生成するデータドライブ回路と、
選択信号を生成するスキャンドライブ回路と、
前記データドライブ回路からの駆動信号が印加される複数のデータ線と、前記スキャンドライブ回路からの選択信号が印加され、前記データ線と直交するように配列された複数の走査電極線と、該データ線と該走査電極線との交点部に設けられ、前記駆動信号と前記選択信号との電位差に応じて電子を放出する複数の電子放出素子とを含む第１基板と、
前記電子放出素子からの電子により励起されて発光する青、緑、赤の３色の蛍光体が配置され、該蛍光体からの光を透過して該蛍光体の配置面とは反対の面に映像を形成する第２基板とを備え、
前記青または赤の蛍光体に対応する電子放出素子の面積が、緑の蛍光体に対応する電子放出素子の面積よりも小さいことを特徴とする映像表示装置。
【請求項９】
前記電子放出素子の形状が長方形状であり、該赤及び青の蛍光体に対応する電子放出素子の長辺寸法が、該緑の蛍光体に対応する電子放出素子の長辺寸法よりも短いことを特徴とする請求項８に記載の映像表示装置。
【請求項１０】
前記赤の蛍光体に対応する電子放出素子の面積が、前記緑の蛍光体に対応する電子放出素子の面積の０．８５〜０．９倍であることを特徴とする請求項８に記載のディスプレイ装置。
【請求項１１】
前記青の蛍光体に対応する電子放出素子の面積が、前記緑の蛍光体に対応する電子放出素子の面積の０．９〜０．９５倍であることを特徴とする請求項８に記載の映像表示装置。
【請求項１２】
前記電子放出素子がＭＩＭ（Metal Insulator Metal）型であることを特徴とする請求項８に記載の映像表示装置。
【請求項１３】
映像表示装置において、
入力された映像信号に基づいて駆動信号を生成するデータドライブ回路と、
選択信号を生成するスキャンドライブ回路と、
前記データドライブ回路からの駆動信号が印加される複数のデータ線と、前記スキャンドライブ回路からの選択信号が印加され、前記データ線と直交するように配列された複数の走査電極線と、該データ線と該走査電極線との交点部に設けられ、前記駆動信号と前記選択信号との電位差に応じて電子を放出する複数の電子放出素子とを含む第１基板と、
前記電子放出素子からの電子により励起されて発光する青、緑、赤の３色の蛍光体が配置され、該蛍光体からの光を透過して該蛍光体の配置面とは反対の面に映像を形成する第２基板とを備え、
前記青または赤の蛍光体に対応する電子放出素子に供給される駆動信号の利得が、前記緑の蛍光体に対応する電子放出素子に供給される駆動信号の利得よりも小さいことを特徴とする映像表示装置。
【請求項１４】
映像表示装置において、
複数の電子放出素子を含む第１基板と、
該第１基板と対抗して配置され、前記電子放出素子からの電子により励起されて発光する青、緑、赤の３色の蛍光体を含む第２基板とを備え、
前記青、緑及び赤の少なくとも一つの蛍光体が形成される領域のほぼ中央に、該蛍光体からの光の一部を遮蔽する遮蔽部を設けたことを特徴とする映像表示装置。
【請求項１５】
前記遮蔽部が、前記前記青、緑及び赤の蛍光体のうち、赤または青の蛍光体が形成される領域に設けられることを特徴とする請求項１４に記載の映像表示装置。
【発明の詳細な説明】
【技術分野】
【０００１】
本発明は、良好なホワイトバランスを得るように構成されたフィールド・エミッション・ディスプレイ（Field Emission Display：以下、ＦＥＤと呼ぶ）等の映像表示装置に関する。
【背景技術】
【０００２】
赤、青、緑の蛍光体を個別に励起して発光させ、映像を形成する平面型の映像表示装置においては、各色の蛍光体の発光輝度が異なるために良好なホワイトバランスが得られない場合がある。このような装置において良好なホワイトバランスを得るための従来技術としては、例えば特許文献１または２に記載のものが知られている。特許文献１にはプラズマディスプレイパネル（ＰＤＰ）において、また特許文献２には有機ＥＬにおいて、青の蛍光体の輝度が緑、赤に比べ相対的に低いため、青の蛍光体の面積を他の２つよりも大きくすることが開示されている。
【０００３】
【特許文献１】特開2002-63847号公報（段落番号0005、図１）
【特許文献２】特開2003-249361号公報（段落番号0039、図６）
【発明の開示】
【発明が解決しようとする課題】
【０００４】
ＰＤＰは、プラズマ放電で生成された紫外光により蛍光体を励起発光するのに対し、ＦＥＤは、電子放出素子からの電子ビームで蛍光体を励起発光させる。すなわち、ＰＤＰとＦＥＤでは、互いに蛍光体を励起させる方法が異なっており、使用される蛍光体の種類、材質も互いに異なる。PDPに使用される蛍光体は、例えば、赤：(Ｙ，Ｇｄ)ＢＯ３：Ｅｕ、緑：ＺｎＳｉＯ４：Ｍｎ、青：ＢａＭｇＡｌ１０Ｏ１７：Ｅｕが使用されており、白色表示時においては緑の輝度を基準とする場合、青の輝度が相対的に低い。一方、FEDに使用される蛍光体は、例えば、赤：Ｙ２Ｏ３：Ｅｕ、緑：Ｙ２ＳｉＯ５：Ｔｂ、青：ＺｎＳ:Ａｇ，Ｃｌが使用されており、白色表示時においては緑の輝度を基準として、赤及び青の輝度が相対的に高い。従って、特許文献１に記載の技術をFEDに適用しても良好なホワイトバランスを得ることは困難である。
【０００５】
特許文献２は、青の蛍光体の面積を他の２つよりも大きくするとの技術手段が、有機ＥＬのみならずＦＥＤにも適用可能（段落番号0022参照）であることを開示している。しかしながら、上述したように、ＦＥＤに使用される蛍光体は、赤及び青の輝度よりも緑の輝度が低いので、当該技術手段をＦＥＤに適用したとしても良好なホワイトバランスは困難である。
【０００６】
本発明は、上記の課題に鑑みて為されたものであり、その目的は、ＦＥＤにおいて良好なホワイトバランスを得ることが可能な技術を提供することにある。
【課題を解決するための手段】
【０００７】
上記目的を達成するための本発明に係る映像表示装置の第１の特徴は、青または赤の蛍光体の面積（蛍光体の出向領域の面積）が緑の蛍光体の面積よりも大きいことを第１の特徴とすることにある。青または赤の蛍光体の面積を緑の蛍光体の面積よりも小さくする際に、該赤または青の各蛍光体が形成される領域のほぼ中央に、該蛍光体からの光の一部を遮蔽する遮蔽部を設けてもよい。
【０００８】
また、本発明に係る映像表示装置の第２の特徴は、緑の蛍光体に対応する電子放出素子の面積が、青または赤の蛍光体に対応する電子放出素子の面積よりも大きいことにある。
【０００９】
また、本発明に係る映像表示装置の第３の特徴は、緑の蛍光体に対応する電子放出素子に供給される駆動信号の利得が、前記青または赤の蛍光体に対応する電子放出素子に供給される駆動信号の利得よりも大きいことにある。
【発明を実施するための最良の形態】
【００１０】
以下、本発明の好ましい実施形態について図面を参照しつつ説明する。図１は、本発明が適用されるＦＥＤのシステム構成の概略図である。
【００１１】
ＦＥＤパネル１は、パッシブマトリクス方式の映像表示装置であり、後述するように複数のデータ線と複数の走査電極線、及びデータ線と走査電極線との交点部に接続された複数の電子放出素子を有している。走査電極線にはスキャンドライバ２、３が、データ線にはデータドライバ４〜６が接続されている。ＦＥＤパネル１の水平画素数をｎ、垂直画素数をｍとしたとき、データドライバの出力数がｉ個のＬＳＩを使用すると、データドライバはｎ／ｉ個必要となる。また、スキャンドライバの出力数がｊ個のＬＳＩを使用すると、スキャンドライバはｍ／ｊ個必要となる。本実施形態では、説明の簡略化のため、データドライバを３個、スキャンドライバを２個としているが、実際はこれよりも多い数のドライバが使用される。ＦＥＤパネル１のアノード端子には高圧発生回路７及び高圧制御回路８が接続されている。高圧制御回路８には、電源端子１０から電源が供給される。スキャンドライバ２及び３、データドライバ４〜６及び高圧制御回路８は、タイミングコントロール回路１３からの信号により制御される。以下、各部の動作について説明する。
【００１２】
ビデオ信号端子１１から入力された映像信号は、ビデオ信号処理回路１２で振幅、黒レベル、色合いなどの各種調整が為され、タイミングコントローラ１３に入力される。タイミングコントローラ１３は、ビデオ信号処理回路１２で調整された映像信号、及び映像信号とともに入力された水平及び垂直同期信号に基づいて、スキャンドライバ２及び３、データドライバ４〜６及び高圧制御回路８の夫々に対し、ＦＥＤパネル１の表示面上に映像を表示するための最適なタイミングの信号と映像データを送信する。データドライバ４〜６は、ＦＥＤパネル１の１ライン分の映像データを１水平期間保持し、タイミングコントローラ１３からの水平同期のタイミング信号に同期して、１水平周期毎にデータを書き換える。そして、保持された１ライン分の映像データは、データドライバ４〜６に内蔵されるＤ/Ａ変換器によりアナログ信号に変換され、電子放出素子を駆動させるための駆動信号としてデータドライバ４〜６から各データ線に供給される。一方、スキャンドライバ２〜３は、垂直方向にＦＥＤパネル１の走査電極線を１行ずつ（または数行ずつ）順次選択する。走査線電極の選択は、ある走査線電極に対し、例えば５Ｖの選択電圧を印加することにより行われる。非選択時は、例えば０Ｖの電圧を走査電極線に印加する。上記選択電圧を、タイミングコントローラ１３からの水平同期のタイミング信号に応答して、上から順に１行ずつ（または数行ずつ）走査線電極に印加することにより垂直走査が行われる。
【００１３】
ある走査電極線に選択電圧が印加されると、その走査線電極に接続される１行の電子放出素子から、その選択電圧とデータドライバ４〜６からの駆動信号との電位差に応じた電子が放出される。ＦＥＤパネル１のアノード端子には、高圧発生回路７からの高圧（アノード電圧）が数ｋＶ加えられている。電子放出素子からの電子は、このアノード電圧により加速され、電子放出素子に対応して設けられたＦＥＤパネル１内の蛍光体に衝突して蛍光体を励起する。この結果、１行分の蛍光体が発光し、ＦＥＤパネル１の表示面上に１水平ラインの映像が表示される。スキャンドライバ２〜３により、１フレーム期間内において走査線電極の全てが順次選択されると、表示面上に１フレームの映像が表示される。ＦＥＤパネル１に表示する映像が明るい場合は高圧発生回路７からの負荷電流が多く、映像が暗い場合は負荷電流が少なくなる。高圧発生回路７の電圧値は、負荷電流が多くなるに従い低下するが、この負荷電流を電流検出回路９により検出して高圧制御回路８でフィードバック制御することにより、電圧値が一定に保たれる。これにより、高圧安定化の制御が行われる。
【００１４】
以下において、本発明の各実施形態について詳細に説明するが、電子放出素子として、ＭＩＭ（Metal Insulator Metal）型の電子放出素子を用いた場合について説明する。
【実施例１】
【００１５】
本発明の第１実施形態について図２を用いて説明する。図２はＦＥＤパネル１の内部構成を示すもので、１つのＲＧＢ各画素を模式的に示している。ＦＥＤパネル１は、ガラス等の透光性を有する第２基板であるアノード板１０１と第１基板であるカソード板１０２とを備え、アノード板１０１には赤色蛍光体１２３、緑色蛍光体１０４、青色蛍光体１２５が形成されている。赤色蛍光体１２３及び青色蛍光体１２５の面積（出光領域）は、緑色蛍光体１０４の面積よりも小さくされている。カソード板１０２においては赤、緑、青の蛍光体のそれぞれに対応して、電子放出素子としての電子源１０６〜１０８が形成されている。電子源１０６〜１０８には、共通の走査電極線１１０と、独立したデータ線１１１〜１１３が接続されている。電子源１０６〜１０８は、選択された走査線（選択電圧が印加された走査線電極）の選択時間とデータ線１１１〜１１３に印加された駆動電圧の電圧値に応じた強さの電子ビーム１２０〜１２２が放出される。
【００１６】
ここで、蛍光体１２３、１０４、１２５は、投射型ブラウン管などに用いられている蛍光体と同じもの、例えば赤色の蛍光体１２３としてＹ２Ｏ３：Ｅｕ、緑色の蛍光体１０４としてＹ２ＳｉＯ５：Ｔｂ、青色の蛍光体１２５としてＺｎＳ:Ａｇ，Ｃｌを使用するものとする。この場合、赤及び青色の蛍光体の発光強度が相対的に強くなる（すなわち緑色の蛍光体の発光強度が赤及び青色の蛍光体の発光強度よりも相対的に弱い）。従って、赤色蛍光体１２３、緑色蛍光体１０４及び青色蛍光体１２５の面積が互いに等しい場合、ＦＥＤパネル１の表示面に白色映像を表示するために、各電子源１０６〜１０８の駆動電圧のレベルを同一とし、各電子源１０６〜１０８から生成される各電子ビーム１２０〜１２２の強度をほぼ等しくしても、表示映像はマゼンタ色の強い白色となる。このときの表示映像の色温度は約４５００Ｋであり、ＮＴＳＣの標準白色である９３００Ｋよりも低い。すなわち、上述のような蛍光体を使用したＦＥＤは、各蛍光体の発光輝度特性が互いに異なっているため、各蛍光体に照射する電子ビーム量を等しくしても、高い色温度の白色が得られず、良好なホワイトバランスが得られない。
【００１７】
本実施形態は、上記構成のＦＥＤにおいてホワイトバランスを良好にして高い色温度を得るために、図２に示すように、赤色の蛍光体１２３及び青色の蛍光体１２５の面積（すなわち出光領域）を、緑色の蛍光体１０４の面積よりも小さくしている。また本実施形態では、各蛍光体の出光領域がそれぞれ長方形状を為しており、この長方形の長辺寸法を短くすることによって、緑の蛍光体１０４の面積を、赤の蛍光体１２３及び青の蛍光体１２５との面積よりも小さくしている。このように構成することにより、赤色蛍光体１２３及び青色蛍光体１２５の出光領域は緑色蛍光体１０４の出光領域よりも小さくなるため、赤色蛍光体１２３及び青色蛍光体１２５の発光量を減少させることができる。赤色及び青色の各蛍光体の面積は、赤色蛍光体１２３の面積は、緑色蛍光体１０４の面積の０．８５〜０．９倍、青色蛍光体１２５の面積を緑色蛍光体１０４の面積の０．９〜０．９５倍とすることが好ましい。
【００１８】
この赤色蛍光体の面積と緑色蛍光体の面積との比率、及び青色蛍光体と緑色蛍光体の面積との比率に関する数値範囲は、本発明者等による実験により得られた各蛍光体の発光輝度特性から導き出されたものである。この各蛍光体の発光輝度特性を図６に示す。図６において、黒四角は、電子源からの電子ビーム量（相対値）に対する緑色蛍光体の輝度特性（相対値）、黒三角は、電子源からの電子ビーム量（相対値）に対する赤色蛍光体の輝度特性（相対値）、黒丸は、電子源からの電子ビーム量（相対値）に対する青色蛍光体の輝度特性（相対値）を示している。図６に示されるように、電子ビーム量の相対値が１．０（おおよそ最大値）のときに白色を表示しようとする場合、赤色蛍光体の輝度は白三角で示す値で、かつ青色蛍光体の輝度は白丸で示す値であれば、９３００Ｋの色温度が得られる。ところが、電子ビーム量の相対値１．０における実際の赤色蛍光体の輝度は、黒三角で示すように、赤の輝度の目標値（白三角）よりも高く、実際の青色蛍光体の輝度は、黒丸で示すように、青の輝度の目標値（白丸）よりも高い。この場合、上述したように、表示映像はマゼンタ色の強い白色となる。電子ビーム量の相対値１．０で９３００Ｋの色温度を得ようとするときの、赤の輝度の目値標（白三角）と実際値（黒三角）との比は約０．８５で、かつ青の輝度の目標値（白丸）と実際値（黒丸）との比は約０．９である。従って、赤色蛍光体１２３の面積を緑色蛍光体１０４の面積の約０．８５倍、青色蛍光体１２５の面積を緑色蛍光体１０４の面積の約０．９倍とすれば、赤及び青色の各蛍光体からの発光輝度が抑えられる。すなわち、赤色蛍光体からの発光輝度は、その面積を緑色蛍光体と等しくした場合に比べ０．８５倍に抑えられ、青色蛍光体からの発光輝度は、その面積を緑色蛍光体と等しくした場合に比べ０．９０倍に抑えられる。このような構成によれば、電子源１０６〜１０８からの各電子ビーム１２０〜１２２の量をほぼ等しくしても、標準白色である９３００Ｋの色温度を持つ白色を得ることができる。同様に、赤色蛍光体１２３の面積を緑色蛍光体１０４の面積の約０．９倍、青色蛍光体１２５の面積を緑色蛍光体１０４の面積の約０．９２〜０．９５倍とすれば、６５００Ｋに近い白色を得ることができる。このように、本実施形態によれば、各蛍光体の発光輝度特性の相違に基づくホワイトバランスの劣化を防止できる。更に、赤、緑及び青の蛍光体にそれぞれ対応する電子源１０６〜１０８にほぼ同じレベルの駆動電圧を与えても、高い色温度の白色及び良好なホワイトバランスを得ることができる。
【実施例２】
【００１９】
本発明に係る第２実施形態について図３を用いて説明する。図３において、図２と同じ符号のものは、図２と同一の構成要素を示す。本実施形態は、赤色及び青色蛍光体が形成される領域のほぼ中央部に、蛍光体からの光の一部を遮蔽する遮蔽部１５１、１５２を設け、この遮蔽部１５１、１５２により、赤色及び青色蛍光体の各出光領域を２分割したことを特徴とするものである。図３においては、赤色の蛍光体は符号１２６，１２７で、青色蛍光体は符号１２８，１２９で示している。すなわち、赤色蛍光体の出光領域は、遮蔽部１５１によって領域１２６及び１２７に分割され、青色蛍光体の出光領域は、遮蔽部１５２によって、領域１２８及び１２９に分割される。ここで、領域１２６及び１２７の面積は互いに等しく、また領域１２８及び１２９の面積も互いに等しくされる。また、領域１２６と１２７及び遮蔽部１５１の合計面積、緑色蛍光体１０４の面積、及び領域１２８と１２９の合計面積と遮蔽部１５２の面積は、互いに等しくされる。
【００２０】
このように、赤色蛍光体１２３からの光の一部は遮蔽部１５１によって、また青色蛍光体１２５からの光の一部は遮蔽部１５２によって遮蔽されるため、赤色蛍光体の出光領域（領域１２６と１２７の合計の面積）、及び青色蛍光体の出光領域（領域１２８と１２９の合計面積）を緑色蛍光体１０４の面積よりも小さくすることができる。よって、赤及び青の蛍光体からの発光量を低減することが可能となる。ここで、上記遮蔽部１５１及び１５２の幅を適宜設定すれば、赤色蛍光体及び青色蛍光体の出光量を制御できる。例えば、赤色蛍光体の出光領域（領域１２６と１２７の合計の面積）を緑色蛍光体１０４の面積の約０．８５倍、青色蛍光体１２５の面積を緑色蛍光体１０４の面積の約０．９倍とすれば、標準白色である９３００Ｋの色温度を持つ白色を得ることができる。また、赤色蛍光体１２３の面積を緑色蛍光体１０４の約０．９倍、青色蛍光体１２５の面積を緑色蛍光体１０４の約０．９２〜０．９５倍とすれば、６５００Ｋに近い白色を得ることができる。
【００２１】
また、本実施形態では、赤色及び青色蛍光体の出光領域の全体的な長辺寸法及び短辺寸法が、青色蛍光体の出光領域の長辺寸法及び短辺寸法と等しくしている。このため、図２に示した第１実施形態のように赤色及び青色蛍光体の出光領域の長辺寸法を短くした場合に比べ、電子源１０６〜１０８と蛍光体１２３、１０４、１２５との位置ずれに起因する発光強度の低下が少ない。すなわち、本実施形態は、蛍光体の全体的な出光領域を小さくしたものに比べ、電子源と蛍光体との位置ずれ量の許容範囲（マージン）を大きくしつつ、青及び赤の蛍光体からの発光強度を制限することができる。
【実施例３】
【００２２】
本発明に係る第３実施形態について、図４を用いて説明する。図４において、図２と同じ符号のものは、図２と同一の構成要素を示す。図４においては、赤色蛍光体１０３に対応する電子源は符号１３０、青色蛍光体１０５に対応する電子源は符号１３１で示している。以下では、赤色蛍光体１０３に対応する電子源１３０を電子源Ｒ１３０、緑色蛍光体１０４に対応する電子源１０７を電子源Ｇ１０７、青色蛍光体１０５に対応する電子源１３１を電子源Ｂ１３１と称する。
【００２３】
本実施形態は、第１及び第２実施形態と異なり、各色の蛍光体１０３〜１０５の面積（出光領域）は互いに等しいが、各色の蛍光体に対応する電子源の面積は互いに異なっている。ここで、電子源の発生面積をＳ、電子源から発生する電子ビーム密度をＪｅ、蛍光体からの発光輝度をＢｐｈとしたとき、下記数１の関係が成立する。
【００２４】
（数１）  Ｂｐｈ∝Ｓ・Ｊｅ
すなわち、蛍光体の発光輝度Ｂｐｈは電子源の面積Ｓと比例関係にあるため、赤、緑及び青の電子源に供給される駆動信号のレベルが同一の場合、電子源の面積Ｓを適宜変更することによって赤、緑及び青の蛍光体の輝度比を変えることができる。従って、電子源Ｒ１３０及び電子源Ｂ１３１の面積を電子源Ｇ１０４よりも小さくすれば、電子源Ｒ１３０及び電子源Ｂ１３１からの電子放出量を制限して各電子源に対応する蛍光体の発光量を抑えることが可能となる。本実施形態では、電子源Ｒ１３０の面積は、電子源Ｇ１０７の面積に対して、例えば８５％〜９０％に設定される。これにより、赤色蛍光体１０３の発光量を緑色蛍光体１０４の発光量の８５％〜９０％に抑えることができる。また電子源Ｂ１３１の面積は、電子源１０７の面積に対して、例えば９０％〜９５％に設定される。これにより、青色蛍光体１０５の発光量を緑色蛍光体１０４の発光量の９０％〜９５％に抑えることができる。ここで、電子源Ｒ１３０の面積を電子源Ｇ１０７の面積の約０．８５倍、電子源Ｂ１３１の面積を電子源Ｇ１０７の面積の約０．９０倍とすれば、標準白色である９３００Ｋの色温度を持つ白色を得ることができる。また、電子源Ｒ１３０の面積を電子源Ｇ１０７の面積の約０．９倍、電子源Ｂ１３１の面積を電子源Ｇ１０７の面積の約０．９２〜０．９５倍とすれば、６５００Ｋに近い白色を得ることができる。
【００２５】
電子源の面積の変更は、電子源がＭＩＭ型の場合、走査線電極１１０とデータ線１１〜１１３の間に挟まれる絶縁層の面積を変更することによって行われる。すなわち、電子源Ｒ１３０及び電子源Ｂ１３１の各絶縁層の面積を、電子源Ｇ１０７の絶縁層の面積よりも小さくすればよい。また、電子源Ｒ１３０及び電子源Ｂ１３１に接続される走査線電極１１０の面積を変更しても、電子源の面積を変更することができる。
【００２６】
このように、本実施形態でも、各蛍光体の発光輝度特性の相違に基づくホワイトバランスの劣化を防止できる。更に、赤、緑及び青の蛍光体にそれぞれ対応する電子源１３０、１０７及び１３１にほぼ同じレベルの駆動電圧を与えても、高い色温度の白色及び良好なホワイトバランスを得ることができる。
【実施例４】
【００２７】
本発明に係る第４実施形態について、図５を用いて説明する。図５において、図２または図４と同じ符号のものは、図２、図４と同一の構成要素を示す。本実施形態は、各色の蛍光体１０３〜１０５の面積は互いに等しく、かつ電子源１０６〜１０８の面積も互いに等しいが、データ線１１〜１１３に供給される各駆動信号の利得を、可変利得アンプ１４６〜１４８により制御して互いに異ならせている。
【００２８】
可変利得アンプ１４６、１４７、１４８は、それぞれ、赤色蛍光体１０３に対応する電子源１０６に接続されるデータ線１１１、緑色蛍光体１０４に対応する電子源１０７に接続されるデータ線１１２、青色蛍光体１０５に対応する電子源１０８に接続されるデータ線１１３と結合されている。また可変利得アンプ１４６〜１４８は、データドライバ４〜６に内蔵されており、それぞれ駆動信号の入力端子１４３〜１４５と、駆動回路の利得設定端子１４０〜１４２とを備えている。そして可変利得アンプ１４６〜１４８は、それぞれ、入力端子１４３〜１４５に入力された駆動信号を、利得設定端子１４０〜１４２に入力された利得に応じて増幅する。利得設定端子１４０〜１４２は、データドライバの外部に引き出され、それぞれ所定のレベルを持つ電圧源と接続される。以下では、可変利得アンプ１４６を赤色用アンプとして可変利得アンプＲ１４６、可変利得アンプ１４７を緑色用アンプとして可変利得アンプＧ１４７、可変利得アンプ１４８を青色用アンプとして可変利得アンプＢ１４８と称する。
【００２９】
可変利得アンプＧ１４７の利得設定端子１４１に入力される利得を１とすると、可変利得アンプＲ１４６の利得は０．８５〜０．９０に、可変利得アンプＢ１４８の利得は０．９０〜０．９５に設定される。すなわち、利得設定端子１４０に接続される電圧源のレベルは、利得設定端子１４１に接続される電圧源の０．８５〜０．９０倍とされ、利得設定端子１４２に接続される電圧源のレベルは、利得設定端子１４１に接続される電圧源の０．９０〜０．９５倍とされる。これにより、赤色蛍光体１０３の発光量を緑色蛍光体１０４の発光量の８５％〜９０％に抑えることができ、同様に、青色蛍光体１０５の発光量を緑色蛍光体１０４の発光量の９０％〜９５％に抑えることができる。ここで、可変利得アンプＲ１４６の利得を約０．８５、可変利得アンプＢ１４８の利得を約０．９０とすれば、標準白色である９３００Ｋの色温度を持つ白色を得ることができる。また、可変利得アンプＲ１４６の利得を約０．９、可変利得アンプＢ１４８の利得を約０．９２〜０．９５倍とすれば、６５００Ｋに近い白色を得ることができる。
【００３０】
このように、本実施形態によれば、赤、緑、青の信号振幅が同一の場合に、標準白色が得るためにビデオ信号処理ブロック１２において色毎の振幅調整を行う必要がない。よって、階調欠落のない高画質の表示を実現する事ができる。
【００３１】
以上においては、緑色蛍光体の発光強度を、赤及び青色蛍光体の両方の発光強度よりも高くする実施形態について説明した。しかしながら、緑色蛍光体の発光強度を、赤及び青色蛍光体のいずれか一つの発光強度よりも高くするようにしてもよい。例えば、緑色蛍光体の発光強度と青色蛍光体の発光強度との差があまり大きくない場合、緑及青色蛍光対面積を互いに等しくし、かつこれらを赤色蛍光体の面積よりも大きくしてもよい。また９３００Ｋよりも高い色温度を得たい場合もこれと同様に構成してもよい。また、上述の各実施形態では、電子放出素子としてＭＩＭ型の電子放出素子を用いる例を説明したが、ＭＩＭ型以外の電子放出素子（例えば、カーボンナノチューブ型、表面伝導型等）についても同様に本発明を適用できることは言うまでも無い。
【図面の簡単な説明】
【００３２】
【図１】本発明が適用されるＦＥＤのシステム構成の概略図
【図２】本発明の第１実施形態を示す図
【図３】本発明の第２実施形態を示す図
【図４】本発明の第３実施形態を示す図
【図５】本発明の第４実施形態を示す図
【図６】各色の蛍光体の発光輝度特性を示す図
【符号の説明】
【００３３】
１…ＦＥＤパネル、２…スキャンドライバ、４…データドライバ、７…高圧発生回路、８…高圧制御回路、１０…電源端子、１２…ビデオ信号処理回路、１３…タイミングコントローラ、１０３〜１０５，１２３，１２５…蛍光体、１０６〜１０８，１３０，１３１…電子源。
【図１】
2006073386.tif 000003
【図２】
2006073386.tif 000004
【図３】
2006073386.tif 000005
【図４】
2006073386.tif 000006
【図５】
2006073386.tif 000007
【図６】
2006073386.tif 000008